(57)【要約】 【課題】放送用の素材を２重化された素材送出装置にコピーして運用する上で、コピーの失敗を早期に発見する。【解決手段】素材送出装置は、放送用の素材が蓄積された素材サーバに接続され、前記素材サーバの素材を複製して送出する素材送出装置であり、記憶部、整合性確認情報取得部、整合性確認部を備える。前記記憶部は前記素材サーバの素材を複数に分割して送られてきた分割データが記憶される。前記整合性確認情報取得部は個々の分割データについて整合性を確認するための複数の整合性確認情報を異なるルートで取得する。前記整合性確認部は一つまたは所定数の分割データの送信または受信が完了する毎に、前記整合性確認情報取得部により異なるルートで取得された複数の整合性確認情報を比較することで、前記記憶部に記憶された分割データの整合性を確認し、不整合の場合、エラー情報を出力する。を備える。【選択図】図１
2012195799.tif 000002
【特許請求の範囲】
【請求項１】
放送用の素材が蓄積された素材サーバにネットワークを介して接続され、前記素材サーバの素材を複製して送出する素材送出装置において、
前記素材サーバの素材を複数に分割して送られてきた分割データが記憶された記憶部と、
個々の分割データについて整合性を確認するための複数の整合性確認情報を、異なるルートで取得する整合性確認情報取得部と、
一つまたは所定数の分割データの送信または受信が完了する毎に、前記整合性確認情報取得部により異なるルートで取得された複数の整合性確認情報を比較することで、前記記憶部に記憶された分割データの整合性を確認し、不整合の場合、エラー情報を出力する整合性確認部と
を具備することを特徴とする素材送出装置。
【請求項２】
前記整合性確認情報は、前記素材サーバから送られてきたものと、前記記憶部から読み出した分割データから生成したものであることを特徴とする請求項１記載の素材送出装置。
【請求項３】
前記整合性確認情報は、前記記憶部から読み出した分割データから生成したものと、前記記憶部から読み出した分割データを前記他の素材送出装置へ送った応答として得たものであることを特徴とする請求項１記載の素材送出装置。
【請求項４】
前記整合性確認部により整合性が確認された分割データが全て受信されたときに結合する結合部をさらに具備することを特徴とする請求項１記載の素材送出装置。
【請求項５】
前記分割データの分割単位は、一定の再生時間であることを特徴とする請求項１記載の素材送出装置。
【請求項６】
前記分割データの分割単位は、分割データのヘッダに含まれる映像分割点であることを特徴とする請求項１記載の素材送出装置。
【請求項７】
前記整合性確認部により分割データの整合性が確認された場合、プレビュー確認が可能な範囲を、前記ネットワーク上のプレビュー制御を行う端末へ通知する通知部を具備することを特徴とする請求項１記載の素材送出装置。
【請求項８】
放送用の素材が蓄積された素材サーバと、ネットワークを介して接続された複数の素材送出装置とを有し、前記素材サーバの素材を複数の素材送出装置に順次または並行して複製し、いずれか一方の素材送出装置から素材を送出する素材送出システムにおいて、
前記素材送出装置は、
前記素材サーバの素材を複数に分割して送られてきた分割データが記憶された記憶部と、
個々の分割データについて整合性を確認するための複数の整合性確認情報を、異なるルートで取得する整合性確認情報取得部と、
一つまたは所定数の分割データの送信または受信が完了する毎に、前記整合性確認情報取得部により異なるルートで取得された複数の整合性確認情報を比較することで、前記記憶部に記憶された分割データの整合性を確認し、不整合の場合、エラー情報を出力する整合性確認部と
を具備することを特徴とする素材送出システム。
【請求項９】
前記素材サーバの素材を分割して複数の素材送出装置へ並行に送信し、各素材送出装置にて受信された各々の分割データから整合性確認情報を生成し、いずれか一方の素材送出装置へ送り、互いの整合性確認情報を用いて整合性を確認することを特徴とする請求項８記載の素材送出システム。
【発明の詳細な説明】
【技術分野】
【０００１】
本発明の実施形態は、例えば放送用の映像素材などを送出する素材送出装置、素材送出システムおよび素材送出方法に関する。
【背景技術】
【０００２】
例えば放送業界などでは、再生障害などで番組（放送）の送出が止まらないように、放送用の映像を処理（収録および送出）する映像処理装置を２重化したシステムが導入されている。
【０００３】
このシステムは、現用系の装置と待機系の装置に同じ放送用の素材（デジタル映像データ）を用意しておき、現用系の装置に問題が発生したときはいつでも待機系の装置から番組を送出できるようにしている。
【０００４】
この種のシステムの場合、現用系および待機系それぞれの装置に全く同じ素材を用意するために、以前は両系に同じ映像を収録し、その映像を各々プレビュー表示することで２重化が正しくできているかを確認していた。
【０００５】
しかし、この方法では、労力がかかるため、現在では、一方の装置に入力したファイルをもう一方の装置にコピーして、最終的にコピーし終わった素材について、素材の同一性を確認するためのチェック（ハッシュ値計算など）を行い、かつ実際の映像をプレビューして確認するという手法をとっている。
【先行技術文献】
【特許文献】
【０００６】
【特許文献１】特開２００２−６４４５４号公報
【発明の概要】
【発明が解決しようとする課題】
【０００７】
上述した従来の手法の場合、コピー動作後の最終的なプレビュー操作で初めてコピーが正常にできたか否かを判定するため、このときにコピーの失敗が発見されると、どこで失敗したかによらず、映像素材のコピー作業を最初からやり直す必要があるという問題がある。
【０００８】
本発明が解決しようとする課題は、放送用の素材を２重化された装置にコピーして運用する上で、コピーの失敗を早期に発見することができる素材送出装置および素材送出方法を提供することにある。
【課題を解決するための手段】
【０００９】
実施形態の映像処理装置は、放送用の素材が蓄積された素材サーバにネットワークを介して接続され、前記素材サーバの素材を複製して送出する素材送出装置において、記憶部、整合性確認情報取得部、整合性確認部を備える。前記記憶部は前記素材サーバの素材を複数に分割して送られてきた分割データが記憶される。整合性確認情報取得部は個々の分割データについて整合性を確認するための複数の整合性確認情報を異なるルートで取得する。前記整合性確認部は一つまたは所定数の分割データの送信または受信が完了する毎に、前記整合性確認情報取得部により異なるルートで取得された複数の整合性確認情報を比較することで、前記記憶部に記憶された分割データの整合性を確認し、不整合の場合、エラー情報を出力する。
【図面の簡単な説明】
【００１０】
【図１】第１実施形態の素材送出システムの構成を示す図である。
【図２】素材サーバに蓄積されている映像データファイルの構成を示す図である。
【図３】第１実施形態の動作を示すシーケンスチャートである。
【図４】第１実施形態の動作を示すシーケンスチャートである。
【図５】第１実施形態の動作を示すシーケンスチャートである。
【図６】第１実施形態の動作を示すシーケンスチャートである。
【図７】第２実施形態の動作を示すシーケンスチャートである。
【図８】第２実施形態の動作を示すシーケンスチャートである。
【図９】第２実施形態の動作を示すシーケンスチャートである。
【図１０】第３実施形態の動作を示すシーケンスチャートである。
【図１１】第４実施形態の動作を示すシーケンスチャートである。
【図１２】第５実施形態の動作を示すシーケンスチャートである。
【図１３】第６実施形態の動作を示すシーケンスチャートである。
【発明を実施するための形態】
【００１１】
以下、図面を参照して、実施形態を詳細に説明する。  
（第１実施形態）
図１は第１実施形態の素材送出システムの構成を示す図である。
【００１２】
図１に示すように、この実施形態の素材送出システムは、現用系の第１素材送出装置としての素材送出装置１００と、待機系の第２素材送出装置としての素材送出装置１１０と、素材サーバ１２０と、管理端末１３０と、モニタ１６０が接続された映像切替器１５０と、これらの装置、端末、機器を接続してデータ伝送が可能なネットワーク１４０とを有する。
【００１３】
この素材送出システムの場合、それぞれの素材送出装置１００，１１０が装置単体でも動作可能であるが、素材送出装置１００，１１０に同じ素材を配置することで二重化システムを構成している。
【００１４】
すなわち、この素材送出システムは、放送用の素材が蓄積された素材サーバ１２０と、ネットワーク１４０を介して接続された素材送出装置１００および素材送出装置１１０とを有し、管理端末１３０からの制御により素材サーバ１２０の素材を素材送出装置１００と素材送出装置１１０とにコピー（複製）し、通常時は素材送出装置１００から素材を送出し、素材送出装置１００に不具合が生じたときに素材送出装置１１０から素材を送出する。なお素材送出装置１００と素材送出装置１１０とを入れ変えてもよい。
【００１５】
素材送出装置１００は、制御部１０１、素材記憶部１０２、デコーダ部１０３、ファイル処理部１０４、メモリ１０５などを有する。
【００１６】
制御部１０１は、装置内の各部を制御して素材サーバ１２０の素材のコピーと他の素材送出装置１１０へのバックアップコピーを行う。
【００１７】
より具体的には制御部１０１は、素材サーバ１２０に格納されている素材の中から、コピー対象の一つの素材を分割した一つまたは全ての分割データの送信、受信、書き込み、読み出しが完了する毎に、ファイル処理部１０４により異なるルートで取得された複数の整合性確認情報を比較することで、素材記憶部１０２に記憶された分割データの整合性を確認し、不整合の場合、エラー情報を出力する整合性確認部として機能する。
【００１８】
分割データの分割単位は、一定の再生時間または分割データのヘッダに含まれる映像分割点を基準とする。
【００１９】
また制御部１０１は整合性が確認された分割データを素材記憶部１０２から読み出して結合する結合部として機能する。
【００２０】
さらに制御部１０１は分割データの整合性が確認された場合、プレビュー確認が可能な範囲を、ネットワーク１４０上のプレビュー制御を行う端末である管理端末１３０へ通知する通知部として機能する。
【００２１】
ファイル処理部１０４により異なるルートで取得された複数の整合性確認情報とは、例えば素材サーバ１２０から送られてきたハッシュ値事前計算結果と、素材サーバ１２０から受信して素材記憶部１０２に記憶した後、読み出した分割データから素材サーバ１２０と同じハッシュ計算により生成したハッシュ値計算結果である。
【００２２】
また素材記憶部１０２から読み出した分割データから生成したハッシュ値計算結果の値と、素材記憶部１０２から読み出した分割データを他の素材送出装置１１０へ送った応答に含まれるハッシュ値計算結果とである。
【００２３】
メモリ１０５にはコピーされた素材を管理するための素材管理情報１０５ａが記憶される。素材管理情報１０５ａは、分割データの管理No.、素材コード、データサイズ、分割元素材の分割開始位置、分割終了位置、読出開始位置、読出終了位置、解析結果（ハッシュ値計算結果）、素材のヘッダ情報、フッタ情報などの素材を管理するための情報である。
【００２４】
素材記憶部１０２には、映像素材が分割されたファイルまたは分割データのままの形態で記憶（保管）される。すなわち素材記憶部１０２には、素材サーバ１２０の素材を複数に分割して送られてきた分割データが記憶される。
【００２５】
デコーダ部１０３は、素材記憶部１０２からファイルを読み出してデコード処理を行い、映像切替器１５０へ送出する。
【００２６】
ファイル処理部１０４は、ファイル入力部１０４ａ、ファイル処理部１０４ｂ、インターフェース部１０４ｃ（以下「ＩＦ部１０４ｃ」と称す）を有する。
【００２７】
ファイル処理部１０４は、個々の分割データについて整合性を確認するための複数の整合性確認情報を、異なるルートで取得する整合性確認情報取得部として機能する。
【００２８】
ＩＦ部１０４ｃは素材サーバ１２０からネットワーク１４０を通じて映像素材を受信する。ファイル入力部１０４ａは、ＩＦ部１０４ｃにより受信された映像素材を送出用として分割されたファイルの形態で素材記憶部１０２に保存する。
【００２９】
ファイル出力部１０４ｂは、コピー動作の際に素材記憶部１０２に記憶された映像素材（複数のファイル）を読み出し、ＩＦ部１０４ｃからネットワーク１４０上の素材送出装置１１０へ送出（転送）するための出力処理を行う。
【００３０】
すなわちファイル処理部１０４は映像ストリームとして送られてくる映像素材を分割した複数のファイルにしたり、素材記憶部１０２に記憶された複数のファイルを外部出力したりする入出力処理を行う。
【００３１】
映像切替器１５０は、モニタ１６０での監視用または送出用に、映像の出力を切り換える。映像送出中に現用系の素材送出装置１００からの映像に再生障害が発生した場合、映像切替器１５０は、放送事故にならないよう直ちに待機系の素材送出装置１１０のデコーダ部１１３からの映像に切り替える。
【００３２】
素材送出装置１１０は、素材送出装置１００と同一の構成を有しており、説明を分かり易くするために符号を１１０番台にしており、それぞれは対応する各部は同じ機能を有している。
【００３３】
図２に示すように、放送用に用いる映像データファイルであるＭＸＦファイルは、ヘッダ部２１、ボディ部２２、フッタ部２３などを備える。それぞれ素材毎にデータサイズが異なる。
【００３４】
ヘッダ部２１には、映像データファイルのフォーマット形式等の属性データであるメタデータが格納される。事前に付与される映像分割点の情報はこのヘッダ部２１に入れられる。ボディ部２２には、映像データ本体（映像・音声などの実データ）が格納される。
【００３５】
映像データファイルを複製（以下「コピー」という）する際に、このボディ部２２が各素材送出装置１００、１１０のファイル処理部１０４，１１４により、例えば33msのフレーム周期毎に分割されて、細分化した状態で転送され、それぞれの素材記憶部１０２，１１２に格納される。
【００３６】
フッタ部２３には映像データファイルの終わりを示す情報（インデックステーブル、ランダムインデックパックなど）が格納される。インデックステーブルはＧＯＰ（Group of Picture）毎に備えられている。インデックステーブルにはＧＯＰの前のフレームの情報が保持される。
【００３７】
図３乃至図６を参照して第１実施形態の素材送出システムに動作を説明する。  
この素材送出システムでは、前提として、コピー前に素材サーバ１２０の側で素材を分割して送ったときの個々の分割データの整合性確認用の情報（一例としてはハッシュ値事前計算結果ファイルなど）を用意しておく。また現用系の素材送出装置１００で素材データの整合性を確認するための計算と同じアルゴリズムで、同じファイルサイズ毎に計算した結果を記録しておくものとする。
【００３８】
管理端末１３０では、オペレータが映像素材をコピーするための操作を行うと、管理端末１３０から現用系の素材送出装置１００へ映像素材コピー開始要求が発行される（ステップＳ１０１）。
【００３９】
映像素材コピー開始要求には、素材コード、サイズ、素材ファイルパス、ハッシュ値事前計算結果ファイルサイズ、ハッシュ値事前計算結果ファイルパス、コピー元、コピー先などの情報が含まれている。
【００４０】
素材送出装置１００では、映像素材コピー開始要求が制御部１０１により受信されると、制御部１０１は、ファイルコピー要求をファイル処理部１０４へ送る（ステップＳ１０２）。ファイルコピー要求には、ハッシュ値事前計算結果ファイルパスが含まれている。
【００４１】
ファイル処理部１０４はこのファイルコピー要求を受けて、ファイル要求を素材サーバ１２０へ送信する（ステップＳ１０３）。ファイル要求にはハッシュ値事前計算結果ファイルパス、読出開始位置［先頭］、サイズなどが含まれる。
【００４２】
素材サーバ１２０は、受信されたファイル要求に対してハッシュ値事前計算結果ファイルを素材送出装置１００へ送信し（ステップＳ１０４）、ハッシュ値事前計算結果ファイルが素材送出装置１００に取得される。
【００４３】
素材送出装置１００では、ファイル処理部１０４がハッシュ値事前計算結果ファイルを受信して単純にファイルとして取得し、制御部１０１へ渡す（ステップＳ１０５）。
【００４４】
制御部１０１は、ハッシュ値事前計算結果ファイルを取得すると、そのファイルをメモリ１０５上に展開する（ステップＳ１０６）。
【００４５】
その後、制御部１０１は自装置内のリソース（ファイル入力部１０４ａ、ファイル出力部１０４ｂ、素材記憶部１０２など）の空き状況を確認し、この確認の結果、リソースに十分な空きがあれば、次のステップへ進む（ステップＳ１０７）。
【００４６】
エラーフラグをクリアした後、制御部１０１は二重化された他方の装置である待機系の素材送出装置１１０へリソース確認要求を送信する（ステップＳ１０８）。リソース確認要求には素材コード、サイズなどが含まれる。
【００４７】
この例では、素材サーバ１２０からの映像素材コピー要求の引数のうち、コピー先として素材送出装置１１０が指定される。コピー元は現用系の素材送出装置１００のファイル処理部１０４が指定されるものとする。
【００４８】
リソース確認要求を受け取った待機系の素材送出装置１１０では、制御部１１１が自装置内のリソースに空きがあるかを確認する（ステップＳ１０９）。
【００４９】
制御部１１１は、リソースが空いていることが確認できると、リソース確認応答を素材送出装置１００へ返す。これにより、素材サーバ１２０の映像データファイルのうち、ヘッダ部２１のコピーステップＳ１２０が実行される。
【００５０】
この場合、素材送出装置１００の制御部１０１は、ヘッダコピー要求をファイル処理部１０４へ送る（ステップＳ１２１）。ヘッダコピー要求には、素材コード、ファイルパスなどが含まれる。この他、管理ナンバー（管理No.）などを含めてもよい。
【００５１】
ファイル処理部１０４はこのヘッダコピー要求を受けて、ファイル要求を素材サーバ１２０へ送信する（ステップＳ１２２）。ファイル要求には、素材ファイルパス、読出開始位置［先頭］、サイズなどが含まれる。なお、ヘッダ部２１のサイズが可変のため、サイズとしては、ヘッダ部２１の最大値が指定される。
【００５２】
素材サーバ１２０は、受信されたファイル要求に対して、映像データファイルからヘッダ部２１を抜き出してファイル化したもの、つまりヘッダファイルを素材送出装置１００へ送信し（ステップＳ１２３）、送られたヘッダファイルが素材送出装置１００により取得される。
【００５３】
素材送出装置１００では、ファイル処理部１０４がヘッダファイルを受信して解析を行った後（ステップＳ１２４）、そのヘッダファイル（ヘッダ部）をメモリ１０５に素材管理情報１０５ａとして記憶する（ステップＳ１２５）。
【００５４】
ヘッダ部２１のコピー（素材サーバ１２０からの受信）が終了すると、ファイル処理部１０４はヘッダコピー応答を制御部１０１へ送る（ステップＳ１２６）。ヘッダコピー応答には、素材コード、結果、読出完了位置などが含まれる。このヘッダコピー応答を受け取ることで制御部１０１はヘッダサイズの正しい値を取得できる。
【００５５】
ヘッダコピー応答通知を受けた制御部１０１は、ヘッダ送信要求を、二重化された待機系の素材送出装置１１０へ送信する（ステップＳ１２７）。ヘッダ送信要求には、素材コード、ヘッダ情報が含まれる。
【００５６】
素材送出装置１１０では、制御部１１１が、ヘッダ送信要求を受け取ると、ヘッダ送信要求に含まれる素材コード、ヘッダ情報をメモリ１１５に素材管理情報１１５ａとして書き込み（ステップＳ１２８）、読み出し確認を行って、確認した結果であるヘッダ送信応答（結果）を素材送出装置１００へ返す（ステップＳ１２９）。
【００５７】
確認した結果としては、素材コード、ヘッダ情報の書き込みが成功したか失敗したかなどの情報（フラグ）が含まれる。成功した場合は「１」、失敗した場合は「０」などのフラグが付される。
【００５８】
素材送出装置１００では、ヘッダ送信応答（結果）を受け取った制御部１０１が、映像素材コピー開始応答（結果）を管理端末１３０へ送信する（ステップＳ１３０）。なお一連のヘッダ部コピーステップＳ１２０の処理で、ヘッダ部２１の読み出しを含むコピー処理に失敗した場合、ＮＧ応答の送信（出力）で終了し、以降の処理は実施しない。
【００５９】
ヘッダ部コピーステップＳ１２０の処理が異常なく終了すると、次に、ボディ部コピーステップＳ１４０を実行する。なおこのボディ部コピーステップＳ１４０は、分割単位毎に繰り返し実行される。
【００６０】
この場合、映像素材の分割単位は、一例として、制御部１０１に設定されている一定の再生時間とする。この他、図２のヘッダ部２１に書き込まれている映像分割点で分割してもよい。
【００６１】
最初に、制御部１０１は、メモリ１０５にエラーフラグが記憶されているか否かをチェックすることで（ステップＳ１４１）、その前に行っていた分割単位毎のコピーが失敗していないかを確認する。
【００６２】
エラーフラグが立っていた場合、制御部１０１は、コピー失敗と判定し、その分割単位のコピー情報をクリアし、素材記憶部１０２にコピー途中のデータが存在した場合はそのデータを素材記憶部１０２から削除し、再度コピーを試みる。そして、コピー動作を規定回数行い、それでもコピーを失敗した場合は、異常を管理端末１３０へ通知し、処理を終了する。
【００６３】
すなわち、エラーフラグが立っていたら、その分割単位は再度送受信処理を実行し規定回数失敗したときはエラー終了する。
【００６４】
コピーが失敗していなかった場合、制御部１０１は、次に受信するデータ（この場合、ボディ部２２の初めのデータ）の分割番号と位置を確認した後、ファイル処理部１０４に指定時間分の映像データのコピー要求を送る（ステップＳ１４２）。このコピー要求には、素材コード、ファイルパス、読出開始位置、サイズ（再生時間）、書込先（素材記憶部の情報）などが含まれる。
【００６５】
ファイル処理部１０４はこのコピー要求を受けて、ファイル要求を素材サーバ１２０へ送信する（ステップＳ１４３）。ファイル要求には、素材ファイルパス、読出開始位置、サイズなどが含まれる。
【００６６】
素材サーバ１２０は、受信されたファイル要求に対して指定部分のファイル（ボディ部２２の分割データ）を読み出し、素材送出装置１００へ送信する（ステップＳ１４４）。
【００６７】
素材送出装置１００では、ファイル処理部１０４によってファイル（ボディ部２２の分割データ）が受信されると、ファイル処理部１０４はその受信されたファイルの解析とハッシュ値計算を行う（ステップＳ１４５）。ここでの解析は、受信されたファイルが映像データファイル（素材）の要求部分のファイルであるかどうかといった解析である。
【００６８】
ファイルの解析およびハッシュ値計算の後、ファイル処理部１０４は制御部１０１にファイル（ボディ部２２の分割データ）を渡す。
【００６９】
制御部１０１は、渡されたファイルからボディ部２２の分割データを抽出し、フレーム単位にデータを素材記憶部１０２へ書き込む（記憶する）（ステップＳ１４６）。なおファイル処理部１０４が受信した分割データを素材記憶部１０２へ直接書き込んでもよい。
【００７０】
また、ファイル処理部１０４は、コピー応答を制御部１０１へ送る（ステップＳ１４７）。このコピー応答には、素材コード、結果、読出サイズ、ハッシュ値計算結果などが含まれる。
【００７１】
制御部１０１は、コピー応答を受け取ると、受け取ったコピー応答に含まれるハッシュ値計算結果と、メモリ１０５に事前に記憶しておいた素材サーバ１２０から受信された該当分割データのハッシュ値事前計算結果とを比較し、一致するか不一致かを判定する（ステップＳ１４８）。
【００７２】
この判定の結果、互いのハッシュ値計算結果が異なれば、制御部１０１は、次のコピー要求を行わずに、不一致として、管理端末１３０へエラー通知を出力した後、処理を終了する。
【００７３】
また判定の結果、互いのハッシュ値計算結果が一致すると、続いて、制御部１０１は、バックアップコピー要求を予備系の素材送出装置１１０へ送信する（ステップＳ１４９）。このバックアップコピー要求には、素材コード、書込開始位置、サイズなどが含まれる。
【００７４】
すなわち、素材送出装置１００において指定時間分の分割データを素材記憶部１０２に書き込んだ後、書き込み結果として、データの最後がどこだったかといった情報を記憶しておき、次の読出開始位置を取得することで、予備系の素材送出装置１１０へはデータサイズを指定してコピーを行うことができる。
【００７５】
予備系の素材送出装置１１０では、バックアップコピー要求が制御部１１１により受信されると、制御部１１１は、リソースを事前に確保するためファイル入力部１１４ａと素材記憶部１１２の状況を確認する。そして、ファイルの受信および記憶が可能であれば、ファイル受信準備応答（結果OK）をデコーダ部１１３へ送る（ステップＳ１５０）。なお、素材送出装置１００においてコピー応答を返した時点で、次の分割単位のコピーを予備系へのバックアップコピーと並行して開始してもよい。
【００７６】
素材記憶部１１２の記憶準備ができると、制御部１１１は、受信開始要求をファイル入力部１１４ａへ送る（ステップＳ１５１）。この受信開始要求には、素材コード、書込開始位置、サイズ、書込先の素材管理情報などが含まれる。
【００７７】
ファイル入力部１１４ａは、受信開始要求を受けると、受信準備を行い（ステップＳ１５２）、受信準備が整うと、受信開始応答を制御部１１１に返す（ステップＳ１５３）。この受信開始応答には、素材コード、結果：OKなどが含まれる。
【００７８】
制御部１１１はこの受信開始応答を受けてバックアップコピー応答（受付結果）を現用系の素材送出装置１００へ送信する（ステップＳ１５４）。
【００７９】
現用系の素材送出装置１００では、制御部１０１が、バックアップコピー応答（受付結果）を受信すると、バックアップコピー要求をファイル出力部１０４ｂへ送る（ステップＳ１５５）。このバックアップコピー要求には、素材コード、読出開始位置、サイズ、読出先の素材管理情報、コピー先情報などが含まれる。
【００８０】
ファイル出力部１０４ｂはバックアップコピー要求を受けると、バックアップコピー応答を返す（ステップＳ１５６）。バックアップコピー応答には、素材コード、結果（受付OK）などの情報が含まれる。
【００８１】
バックアップコピー応答の後、ファイル出力部１０４ｂは、素材記憶部１０２から該当するファイル（ボディ部の分割データ）を読み出して（ステップＳ１５７）、ファイルの内容を解析する（ステップＳ１５８）。
【００８２】
読み出したファイルの内容が、ボディ部２２の分割データであれば、そのファイル（ボディ部の分割データ）を予備系の素材送出装置１１０へ送信する（ステップＳ１５９）。
【００８３】
ファイル送信の後、ファイル出力部１０４ｂは、解析結果通知を制御部１０１へ送る（ステップＳ１６０）。この解析結果通知には、素材コード、結果、解析［計算］結果などが含まれる。
【００８４】
制御部１０１は、受け取った解析結果通知から、自装置（素材記憶部１０２）へのコピー処理が正常に行われたか否かを判定し（ステップＳ１６１）、判定結果を応じて処理を続けるか中止する。例えば判定結果がNGの場合、エラーフラグを立て（設定し）、処理を中止する。また判定結果がOKの場合は、コピー処理を続ける。
【００８５】
予備系の素材送出装置１１０では、現用系の素材送出装置１００からのファイル（ボディ部２２の分割データ）がファイル入力部１１４ａにより受信されると、ファイル入力部１１４ａは、ファイルの内容を解析する（ステップＳ１６２）。
【００８６】
受信したファイルの内容が、ボディ部２２の分割データであれば、ファイル入力部１１４ａは、そのファイル（ボディ部の分割データ）を素材記憶部１１２に書き込む（記憶する）（ステップＳ１６３）。なおファイル入力部１１４ａが受信したファイル（ボディ部２２の分割データ）を制御部１１１へ渡し制御部１１１が素材記憶部１１２へ書き込んでもよい。
【００８７】
ファイル（ボディ部の分割データ）を素材記憶部１１２に書き込んだ後、ファイル入力部１１４ａは、受信完了通知を制御部１１１へ送る（ステップＳ１６４）。受信完了通知には、素材コードが含まれる。
【００８８】
制御部１１１は、受信完了通知を受け取ると、ファイル出力部１１４ｂへデータチェック要求を送る（ステップＳ１６５）。データチェック要求には、素材コード、読出開始位置、サイズ、読出元の素材記憶部１１２の情報などが含まれる。
【００８９】
ファイル出力部１１４ｂはこのデータチェック要求を受けて、要求を受け付けたことを示すデータチェック応答を制御部１１１へ返す（ステップＳ１６６）。データチェック応答には、素材コード、結果（受付OK）などが含まれる。
【００９０】
そして、ファイル出力部１１４ｂは、データチェック要求されたデータを素材記憶部１１２から読み出し（ステップＳ１６７）、内容を解析し、ハッシュ値の計算を行い（ステップＳ１６８）、解析結果通知（計算結果通知）を制御部１１１へ返す（ステップＳ１６９）。解析結果通知（計算結果通知）には、素材コード、解析結果［計算結果］などが含まれる。
【００９１】
制御部１１１は解析結果通知（計算結果通知）を受けて、現用系の素材送出装置１００の制御部１０１へ解析結果通知（計算結果通知）を送信する（ステップＳ１７０）。この解析結果通知（計算結果通知）には、素材コード、この装置でのコピー結果、解析結果［計算結果］などが含まれる。
【００９２】
すなわち、予備系の素材送出装置１１０の側では、素材記憶部１１２に書き込んだデータを再度読出し、ファイル出力部１１４ｂでそのデータのハッシュ値を計算し、現用系の素材送出装置１００の制御部１０１へ計算結果を返す。
【００９３】
現用系の素材送出装置１００では、制御部１０１が、自身が計算したハッシュ値計算結果の値と予備系の素材送出装置１１０から送られてきた解析結果通知（計算結果通知）に含まれるハッシュ値計算結果の値との２つの値を比較して、一致か不一致かを判定し（ステップＳ１７１）、互いの値が異なっている場合、ボディ部コピーステップでのエラーフラグをメモリ１０５に設定、つまりエラーフラグを立てる。なおメモリ１０５にエラーフラグが設定された場合、制御部１０１は管理端末１３０へエラー通知を出力する。
【００９４】
なお、素材記憶部１０２や素材記憶部１１２に一度書き込んだデータを読み出して、ハッシュ値を計算した上で、互いの値を比較するのは、書き込み済みのデータにエラーがないことを確認するためである。
【００９５】
現用系の素材送出装置１００では、ボディ部コピーステップＳ１４０の処理が異常なく終了すると、次に、フッタ部コピーステップＳ１８０を実行する。
【００９６】
この場合、素材送出装置１００の制御部１０１は、フッタコピー要求をファイル処理部１０４へ送る（ステップＳ１８１）。フッタコピー要求には、素材コード、ファイルパス、読出開始位置、サイズなどが含まれる。
【００９７】
ファイル処理部１０４はこのフッタコピー要求を受けて、ファイル要求を素材サーバ１２０へ送信する（ステップＳ１８２）。ファイル要求には、素材ファイルパス、読出開始位置、サイズなどが含まれる。なお、フッタ部２３のサイズが可変のため、サイズとしては、フッタ部２３の最大値が指定される。
【００９８】
素材サーバ１２０は、受信されたファイル要求に対して、映像データファイルからフッタ部２３を抜き出してファイル化したもの、つまりフッタファイルを素材送出装置１００へ送信し（ステップＳ１８３）、送られたファイルが素材送出装置１００により取得される。
【００９９】
素材送出装置１００では、ファイル処理部１０４がフッタファイルを受信して解析を行った後（ステップＳ１８４）、そのフッタファイルの情報（フッタ情報）をメモリ１０５に素材管理情報１０５ａとして記憶する（ステップＳ１８５）。
【０１００】
フッタ部２３のコピー（素材サーバ１２０からの受信）が終了すると、ファイル処理部１０４はフッタコピー応答を制御部１０１へ送信する（ステップＳ１８６）。フッタコピー応答には、素材コード、結果、読出完了位置［終端］などが含まれる。
【０１０１】
フッタコピー応答通知を受けた制御部１０１は、フッタ送信要求を、二重化された待機系の素材送出装置１１０へ送信する（ステップＳ１８７）。フッタ送信要求には、素材コード、フッタ情報が含まれる。
【０１０２】
待機系の素材送出装置１１０では、制御部１１１が、フッタ送信要求を受け取ると、フッタ送信要求に含まれる素材コード、フッタ情報をメモリ１１５に素材管理情報１１５ａとして書き込み（ステップＳ１８８）、読み出し確認を行って、確認した結果であるフッタ送信応答（結果）を素材送出装置１００へ返す（ステップＳ１８９）。
【０１０３】
確認した結果としては、素材コード、フッタ情報の書き込みが成功したか失敗したかなどの情報（フラグ）が含まれる。成功した場合は「１」、失敗した場合は「０」などのフラグが付される。
【０１０４】
素材送出装置１００では、制御部１０１が、フッタ送信応答（結果）を受信すると、映像データファイルの全てのデータのコピーが終了したことを示す映像素材コピー結果通知を管理端末１３０へ送信する（ステップＳ１９０）。映像素材コピー結果通知には、素材コード、結果が含まれる。
【０１０５】
このようにして素材サーバ１２０の映像データファイルすべてのコピーが成功する場合に、管理端末１３０から素材送出装置１００または素材送出装置１１０に対してコピーされた映像のプレビュー再生ステップＳ２００を実行するよう指示し、プレビュー再生された映像を人間が実際に視聴して最終的な確認を行う。
【０１０６】
なお素材送出装置１００と素材送出装置１１０とで保存されているデータが同じであることはコピー時に確認済であるため、プレビュー再生はいずれか一方の装置で行ってもよい。
【０１０７】
プレビュー再生ステップＳ２００では、管理端末１３０において、オペレータによりプレビュー再生の操作が行われると、管理端末１３０は、例えば素材送出装置１００に対してコピー済みの映像のプレビュー再生を実行するようプレビュー要求を送信する（ステップＳ２０１）。このプレビュー要求には、素材コード、再生開始位置、再生時間、再生速度などが含まれる。
【０１０８】
素材送出装置１００では、制御部１０１が、プレビュー要求を受け取ると、プレビュー応答を返した後（ステップＳ２０２）、映像再生要求をデコーダ部１０３に送る（ステップＳ２０３）。この映像再生要求には、素材コード、再生開始位置、再生速度などが含まれる。
【０１０９】
この再生要求を受けたデコーダ部１０３は、映像再生応答（結果）を返した後（プＳ２０４）、要求を受けたデータを素材記憶部１０２から読み出し（ステップＳ２０５）、デコード処理して（ステップＳ２０６）、デコード処理した映像データをモニタ１６０へ出力する（ステップＳ２０７）。
【０１１０】
このようにこの第１実施形態によれば、素材サーバ１２０を複数に分割した個々の分割データとその整合性確認情報であるハッシュ値事前計算結果ファイルを素材サーバ１２０から現用系の素材送出装置１００へ送り、素材送出装置１００では、素材サーバ１２０から受信されたハッシュ値事前計算結果ファイルと素材サーバ１２０から受信された個々の分割データから生成（算出）したハッシュ値計算結果とを比較して整合性を確認し、互いが不整合の場合、エラーを出力するので、素材サーバ１２０から現用系の素材送出装置１００へ素材をコピーしている途中でコピーが失敗したことがわかり、コピーエラーの際のコピーのやり直しを早い段階で行うことができる。
【０１１１】
（第２実施形態）  
続いて、図７乃至図９を参照して第２実施形態を説明する。なお第２実施形態を説明するにあたり、同じ処理ステップには同一の符号を付しその説明は省略する。
【０１１２】
この第２実施形態では、素材サーバ１２０から整合性確認情報であるハッシュ値事前計算結果ファイルを送らずに、素材サーバ１２０から現用系の素材送出装置１００がコピーして素材記憶部１０２に記憶したボディ部２２の分割データを予備系の素材送出装置１１０へコピーする際に、素材記憶部１０２から読み出した分割データからハッシュ値計算を行いその計算結果と、予備系の素材送出装置１１０へコピーした結果としての応答（解析結果通知）に含まれるハッシュ値計算結果とを比較して整合性を確認する。
【０１１３】
すなわち、この第２実施形態の場合、管理端末１３０から映像素材コピー開始要求が発行され（図７のステップＳ１０１）、素材送出装置１００に受信されたとき、素材送出装置１００の制御部１０１は、ファイルコピー要求を素材サーバ１２０へ出すのではなく、映像素材のコピー要求をトリガにして、自装置内のリソースの空き状況を確認する（ファイル処理部１０４・ファイル出力部１０４ｂ・素材記憶部１０２）。
【０１１４】
また、制御部１０１は、分割単位毎のコピーが成功したかどうかを判断するためのエラーフラグをクリアする（ステップＳ１０７）。この要求で二重化された予備系の素材送出装置１１０は、映像素材コピー要求の引数のうち、コピー先として指定される。コピー元は、素材送出装置１００のファイル処理部１０４が指定される。
【０１１５】
次に、素材送出装置１００の制御部１０１は、予備系の素材送出装置１１０に対して、リソースに空きがあるかを確認するためリソース確認要求を送信する（ステップＳ１０９）。
【０１１６】
リソース確認要求を受信した素材送出装置１１０の制御部１１１は、自装置内のリソースの空を確認し、その結果として、リソース確認応答を素材送出装置１００へ返す（ステップＳ１１０）。
【０１１７】
素材送出装置１００では、リソース確認応答を制御部１０１が受信することで、素材送出装置１１０側にリソースが空いていることを確認できる。その後、制御部１０１は、ヘッダ部コピーステップＳ１２０を実行する。ヘッダ部コピーステップＳ１２０は第１実施形態と同様であり、ヘッダ部コピーステップＳ１２０の中で、コピーが失敗すると、以降のボディ部コピーステップを実行することなく異常終了する。
【０１１８】
次に、素材送出装置１００の制御部１０１は、ボディ部コピーステップ（図８のＳ１４０）を実行する。
【０１１９】
このボディ部コピーステップＳ１４０では、第１実施形態と同様にボディ部２２のコピーが分割単位毎に行われる。
【０１２０】
この中で、素材サーバ１２０から分割データが素材送出装置１００のファイル処理部１０４により受信されると、ファイル処理部１０４は、受信された分割データの解析を行うが（図８のステップＳ３０１）、この際、第１実施形態とは異なり、受信された分割データのハッシュ値の計算は行わず、ここではデータ構造の解析を行う。
【０１２１】
受信された分割データの内容を解析した結果、受信データが、素材サーバ１２０から送られてくるべき素材の分割データであれば、ファイル処理部１０４は、受信データをフレームごとに素材記憶部１０２に記憶する（ステップＳ１４６）。
【０１２２】
受信データを記憶した後、ファイル処理部１０４は、制御部１０１にコピー応答を送る（ステップＳ３０２）。このコピー応答には、素材コード、解析結果、読出サイズなどが含まれるものの、ハッシュ値の計算を行っていないことから、ハッシュ値計算結果は含まれない。ここまで終了すると、素材サーバ１２０に対して次の分割データのコピー要求を行うことができる。
【０１２３】
コピー応答を受け取った制御部１０１は、予備系の素材送出装置１１０に対してバックアップコピー要求を行い（ステップＳ１４９）、素材送出装置１１０側で受信準備ができ（ステップＳ１５２）、バックアップコピー応答が返ってくると、ファイル出力部１０４ｂは、素材記憶部１０２からバックアップ対象の分割データを読み出して（図９のステップＳ１５７）、その内容（データ構造）の解析とハッシュ計算を行い（ステップＳ３０３）、解析結果通知を制御部１０１へ送る。
【０１２４】
内容を解析した結果、データ構造に異常がなければ、ファイル出力部１０４ｂは、素材記憶部１０２から読み出した分割データをファイル（ボディ部の分割データ）として予備系の素材送出装置１１０へ送信する（ステップＳ１５９）。解析結果通知には、素材コード、読み出した分割データの解析結果、ハッシュ値の計算結果などが含まれる。
【０１２５】
制御部１０１は、解析結果通知を受け取ると、解析結果通知に含まれるハッシュ計算結果をメモリ１０５に一時保持（記憶）する。
【０１２６】
ファイル（ボディ部の分割データ）を受信した予備系の素材送出装置１１０では、そのデータを素材記憶部１１２に書き込んだ後、ファイル出力部１１４ｂがそのデータを読み出し、ハッシュ値の計算を行い、解析結果通知を現用系の素材送出装置１００へ送信する。この解析結果通知には、素材コード、読み出した分割データの解析結果、ハッシュ値の計算結果などが含まれる。
【０１２７】
現用系の素材送出装置１００では、解析結果通知を受信した制御部１０１が、解析結果通知から予備系の素材送出装置１１０側のハッシュ値計算結果を抽出し、メモリ１０５に予め一時保持しておいた自装置側のハッシュ値計算結果とを比較・判定する（ステップＳ３０４）。
【０１２８】
２つの値を比較した結果、異なっている場合、制御部１０１は、エラーフラグをメモリ１０５に設定、つまりエラーフラグを立てる。メモリ１０５にエラーフラグが設定された場合、制御部１０１は管理端末１３０へエラー通知を出力する。なお、一度書き込んだデータを読み出して比較するのは、書き込み時にエラーがないことを確認するためである。
【０１２９】
すべての分割単位でコピー成功した後、最終的に人間が実際に映像を再生して確認を行う。素材送出装置１００／素材送出装置１１０のデータが同じであることはコピー時に確認済であるため、プレビュー再生はどちらか一方の装置で行うだけでよい。
【０１３０】
このようにこの第２実施形態によれば、素材サーバ１２０から整合性確認情報であるハッシュ値事前計算結果ファイルを送らずに、素材サーバ１２０から現用系の素材送出装置１００がコピーして素材記憶部１０２に記憶したボディ部２２の分割データを予備系の素材送出装置１１０へコピーする際に、素材記憶部１０２から読み出した分割データからハッシュ値計算を行いその結果と、予備系の素材送出装置１１０へバックアップコピーした結果の通知に含まれるハッシュ値計算結果とを比較して整合性を確認し、互いが不整合の場合、エラーを出力するので、素材サーバ１２０から現用系の素材送出装置１００へ素材をコピーし、素材送出装置１００から素材送出装置１１０へコピーしている途中でコピーが失敗したことがわかり、コピーエラーの際のコピーのやり直しを早い段階で行うことができる。また素材サーバ１２０での個々の分割データのハッシュ値の事前計算が不要になり、コピーを早く始めることができる。
【０１３１】
（第３実施形態）  
続いて、図１０を参照して第３実施形態を説明する。なお第３実施形態では、第１実施形態および第２実施形態との違いで説明する。
【０１３２】
第３実施形態では、第１実施形態のステップＳ１７１または第２実施形態のステップＳ３０４において現用系の素材送出装置１００と予備系の素材送出装置１１０との間でコピーしたデータの整合性が確認された後、素材送出装置１００から管理端末１３０へ映像素材整合性確認通知を送信する（ステップＳ３０５）。この映像素材整合性確認通知には、素材コード、その素材を再生して確認できる範囲（再生可能範囲）が含まれる。
【０１３３】
管理端末１３０では、受信された映像素材整合性確認通知に含まれる再生可能範囲から、データの整合性がとれた範囲のデータがわかるので、管理端末１３０のオペレータは、その範囲と再生対象の素材送出端末を指定して再生操作を行うことで、プレビュー要求が対象の素材送出装置へ送信される（ステップＳ２０１）。プレビュー要求には素材コード、再生開始位置、再生時間、再生速度などが含まれる。
【０１３４】
プレビュー要求を受信した素材送出装置、例えば素材送出装置１００などは、素材サーバ１２０からデータをコピー途中であっても、確認のための部分的なプレビュー再生を先行して行うことができる。
【０１３５】
そして、すべての分割単位で素材のコピーを成功した後、最終的に人間が実際に映像を再生して確認を行う。なお、素材送出装置１００／素材送出装置１１０のデータが同じであることはコピー時に確認済みであるため、プレビュー再生はどちらか一方の装置を指定してプレビュー再生するだけよい。
【０１３６】
このようにこの第３実施形態によれば、現用系の素材送出装置１００と予備系の素材送出装置１１０との間で分割データのコピーが成功したことが確認される毎に管理端末１３０へ映像素材整合性確認通知を送ることで、管理端末１３０では、いずれかの素材送出装置１００，１１０へプレビュー再生を指示することで、素材のコピー途中であってもコピーしたデータの範囲を指定してプレビュー再生が可能となり、コピーした素材の目視確認を早く始めることができる。
【０１３７】
（第４実施形態）  
続いて、図１１を参照して第４実施形態を説明する。なお第４実施形態では、上記第１実施形態乃至第３実施形態との差分で説明する。
【０１３８】
この例では、素材サーバ１２０のファイル転送能力が高い場合を想定し、素材サーバ１２０の素材を分割して複数の素材送出装置１００，１１０へ並行に送信し、各素材送出装置１００，１１０にて受信された各々の分割データから整合性確認情報を生成し、生成した整合性確認情報を管理端末１３０か、いずれか一方の素材送出装置１００へ送り、互いの整合性確認情報を用いてコピーした分割データの整合性を確認する。
【０１３９】
素材サーバ１２０のファイル転送能力が高い場合、管理端末１３０から、複数の素材送出装置１００、素材送出装置１１０それぞれへ同時にコピー開始要求を行い（図１１のステップＳ１０１）、素材サーバ１２０の素材について、ヘッダ部、ボディ部、フッタ部を順に各装置へ並行してコピーする。
【０１４０】
ボディ部について分割データを各装置へコピーしたときには、それぞれの装置でハッシュ値を計算し保存しておく（ステップＳ３０６，ステップＳ３０８）。
【０１４１】
そしてコピー対象の素材のすべてのデータのコピーが終了したときに、映像素材コピー結果通知を各素材送出装置１００、１１０から管理端末１３０へ送信し（ステップＳ４０１）、管理端末１３０では、受信した映像素材コピー結果通知に含まれる解析結果を用いた比較判定でコピー成功か否かの判定を行う（ステップＳ４０２，ステップＳ４０３）。つまり管理端末１３０では分割データの解析結果を用いて分割単位毎に素材の整合性確認を行う。
【０１４２】
互いのデータが一致しコピーが成功した場合（ステップＳ４０２、ステップＳ４０３のＹｅｓ）、管理端末１３０から、所望の素材送出装置１００（または素材送出装置１１０）へプレビュー要求を発行することで（ステップＳ４０４）、その部分のデータについては、いずれか一方の素材送出装置１００（または素材送出装置１１０）のデータをプレビュー再生（Ｓ２００）して、コピーしたデータが正しいか否かを視聴確認することができる。
【０１４３】
なおステップＳ４０２，ステップＳ４０３の素材整合性確認ステップにおいて、互いのデータが不一致となった場合、その部分のデータについては、素材送出装置１００と素材送出装置１１０との両方のデータを確認して、正しい映像が記録されている方を確かめる必要がある。
【０１４４】
この場合、どちらか一方でも素材が正常にコピーされていれば、直ちにその装置から素材の送出が可能となる利点がある。なおデータのコピーが失敗した側の装置は、失敗部分を再度コピーしデータを確認することになる。
【０１４５】
このようにこの第４施形態によれば、素材サーバ１２０のファイル転送能力が高い場合、素材サーバ１２０から各素材送出装置１００、１１０それぞれへ同時に並行してコピーを行い、各素材送出装置１００、１１０から映像素材コピー結果通知を管理端末１３０が受け取って整合性確認を行うことで、どちらか一方でも素材が正常にコピーされていれば、その素材送出装置１００（または素材送出装置１１０）から直ちに素材を送出することができる。
【０１４６】
なお素材送出装置１００、素材送出装置１１０が複数のファイル処理部１０４、ファイル出力部１０４ｂを持つ場合、ボディ部の読み出しを並行して行うことができる。
【０１４７】
この場合の問題点は、順番に読む場合と異なり、正確なフレームの区切りがわからないことであるが、フレームの先頭とは限らないある一定サイズ毎にコピー要求を行い、ファイル処理部１０４で、指定位置から最初に見つけたフレームの先頭からコピーする、などのルールを設けてコピーを行うことで、上記問題を回避できる。
【０１４８】
このようにすることで、素材サーバ１２０のパフォーマンスが、各素材送出装置１００、１１０のファイル処理部１０４，１１４ａと比較して非常に大きい場合などに処理効率が向上し有効である。
【０１４９】
（第５実施形態）  
続いて、図１２を参照して第５実施形態を説明する。なお第５実施形態では、上記第４実施形態との差で説明する。
【０１５０】
素材サーバ１２０のファイル転送能力が高い場合、管理端末１３０から、複数の素材送出装置１００、素材送出装置１１０それぞれへ同時にコピー開始要求を行い（ステップＳ１０１）、素材サーバ１２０の素材について、ヘッダ部、ボディ部、フッタ部を順に各装置へ並行してコピーする。
【０１５１】
そしてボディ部をコピーしたとき、個々の分割データのコピーが終了したときに、それぞれの装置でハッシュ値を計算し保存するとともに（ステップＳ３０６，ステップＳ３０８）、コピーが終了したことを示す映像素材コピー結果通知を、その都度、各素材送出装置１００、１１０から管理端末１３０へ送信し（ステップＳ５０１）、管理端末１３０で分割単位毎の素材整合性を確認する（ステップＳ５０２，ステップＳ５０３）。
【０１５２】
互いのデータが一致した場合（ステップＳ５０３のＹｅｓ）、管理端末１３０から、所望の素材送出装置１００（または素材送出装置１１０）へプレビュー要求を発行することで（ステップＳ５０４）、その部分のデータについては、いずれか一方の素材送出装置１００（または素材送出装置１１０）のデータをプレビュー再生すれば、コピーしたデータが正しいか否かを確認することができる。
【０１５３】
そして、コピー対象の素材のすべてのデータのコピーが完了したときに、各素材送出装置１００、１１０で保持しておいた分割単位毎の解析結果をまとめて映像素材コピー結果通知として管理端末１３０へ送信する（ステップＳ５０５）。
【０１５４】
またステップＳ５０３の判定ステップにおいて、互いのデータが不一致となった場合（ステップＳ５０３のＮｏ）、その部分のデータについては、素材送出装置１００と素材送出装置１１０との両方のデータを確認して、正しい映像が記録されている方を確かめる必要がある。
【０１５５】
この場合、どちらか一方でも素材が正常にコピーされていれば、直ちにその装置から素材の送出が可能となる利点がある。なおデータのコピーが失敗した側の装置は、失敗部分を再度コピーしデータを確認することになる。
【０１５６】
このようにこの第４施形態によれば、素材サーバ１２０のファイル転送能力が高い場合、素材サーバ１２０から各素材送出装置１００、１１０それぞれへ同時に並行してコピーを行い、各素材送出装置１００、１１０から映像素材コピー結果通知を管理端末１３０が受け取って整合性確認を行うことで、どちらか一方でも素材が正常にコピーされていれば、その素材送出装置１００（または素材送出装置１１０）から直ちに素材を送出することができる。
【０１５７】
このようにこの第５実施形態によれば、分割単位毎に素材のコピーが完了すると、各素材送出装置１００、１１０から映像素材コピー結果通知を管理端末１３０へ送信し、管理端末１３０でデータ整合性を確認する。そして整合性確認の結果、互いが整合すれば、所望の装置の側でその部分からプレビュー再生を行うことで、素材コピー途中の早い段階で視聴確認を行うことができる。
【０１５８】
（第６実施形態）  
続いて、図１３参照して第６実施形態を説明する。なお第６実施形態では、上記第２実施形態との差分で説明する。
【０１５９】
第６実施形態では、第２実施形態の判定ステップＳ３０４において分割データのコピーが成功したことが判定された場合に、分割ファイルを結合する処理を加えたものである。
【０１６０】
すなわち、第６実施形態では、制御部１０１は、受信された解析結果通知に含まれる解析結果（ハッシュ値計算結果）とメモリ１０５に予め記憶しておいたコピー時の分割データのハッシュ値計算結果とが一致するか否かを判定し（ステップＳ３０４）、不一致の場合、分割データのコピーが失敗したものとして（ステップＳ６０１のＮｏ）、コピー失敗通知を素材送出装置１１０へ送信し（ステップＳ６０２）、素材送出装置１１０に再度コピーを行わせる（ステップＳ６０３）。
【０１６１】
一方、互いのハッシュ値計算結果が一致し、分割データのコピーが成功した場合（ステップＳ６０１のＹｅｓ）、制御部１０１はコピー成功通知を素材送出装置１１０へ送信すると共に（ステップＳ６０４）、結合許可要求を管理端末１３０へ送信する（ステップＳ６０５）。
【０１６２】
結合許可要求に対して管理端末１３０から結合許可応答が受信された場合（ステップＳ６０６）、制御部１０１は、これをトリガにして素材記憶部１０２に記憶されていた複数の分割データを結合する（ステップＳ６０７）。
【０１６３】
このようにこの第６実施形態によれば、素材送出装置１０１のデータと素材送出装置１１０のデータとの整合性が確認された場合に管理端末１３０へ結合許可要求を送り、許可された場合に分割データを結合するので、素材サーバ１２０の保存形態で素材送出装置１０１および素材送出装置１１０に素材話保管することができる。
【０１６４】
上記第１実施形態乃至第６実施形態によれば、素材サーバ１２０に格納された放送用の素材を２重化された素材送出装置１００，１１０にコピーして運用する上で、コピーの失敗を早期に発見することができる。
【０１６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１６６】
例えば上記実施形態では、素材サーバ１２０に格納されている素材の中から、コピー対象の一つの素材を分割した一つずつの分割データに対してハッシュ計算を行ったが、所定数の分割データをまとめてハッシュ計算を行い整合性確認情報を生成してもよい。
【０１６７】
また上記実施形態に示した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【０１６８】
１００，１１０…素材送出装置、１０１，１１１…制御部、１０２，１１２…素材記憶部、１０３，１１３…デコーダ部、１０４，１１４…ファイル処理部、１０４ａ，１１４ａ…ファイル入力部，１０４ｂ，１１４ｂ…ファイル出力部，１０４ｃ，１１４ｃ…インターフェース部（Ｉ／Ｆ部）、１０５，１１５…メモリ、１０５ａ，１１５ａ…素材管理情報、１２０…素材サーバ、１３０…管理端末、１４０…ネットワーク、１５０…映像切替器、１６０…モニタ。
【図１】
2012195799.tif 000003
【図２】
2012195799.tif 000004
【図３】
2012195799.tif 000005
【図４】
2012195799.tif 000006
【図５】
2012195799.tif 000007
【図６】
2012195799.tif 000008
【図７】
2012195799.tif 000009
【図８】
2012195799.tif 000010
【図９】
2012195799.tif 000011
【図１０】
2012195799.tif 000012
【図１１】
2012195799.tif 000013
【図１２】
2012195799.tif 000014
【図１３】
2012195799.tif 000015